(57)【要約】【課題】  電波方式認識タグを用いた重量価値付装置に関し、量り売り商品価値付けデータを、迅速かつ誤りなく、しかも精度良く、電波方式認識タグの記憶エリア内に電磁的に書込む。【解決手段】  電波方式認識タグ１１を裏底に貼付け或いは埋設した対象物１０の重量を測定する重量測定部１、重量測定部１で測定した重量情報に基づいて価値付け情報を演算する制御演算部７、演算した価値付け情報を電波方式認識タグ１１の記憶エリア内に電磁的に書き込むリーダライタ送受信部４を備えた電波方式認識タグ１１を用いた重量価値付装置における重力測定部１のセンサ部２から鉛直方向に伸びるとともに秤量皿９を搭載する支柱３を立てるとともに、リーダライタ送受信部４に支柱３の貫通用開口部５を設けることによって、重量測定部１を前記リーダライタ送受信部４に対して非接触で且つ下部に配置する。【選択図】          図１
2005308603.tif 000002
【特許請求の範囲】
【請求項１】
電波方式認識タグを裏底に貼付け或いは埋設した対象物の重量を測定する重量測定部、前記重量測定部で測定した重量情報に基づいて価値付け情報を演算する制御演算部、前記演算した価値付け情報を電波方式認識タグの記憶エリア内に電磁的に書き込むリーダライタ送受信部を備えた電波方式認識タグを用いた重量価値付装置において、前記重力測定部のセンサ部から鉛直方向に伸び秤量皿を搭載する支柱を立てるとともに、前記リーダライタ送受信部に前記支柱の貫通用開口部を設けることによって、前記重量測定部の本体部を前記リーダライタ送受信部に対して非接触で且つ下部に配置することを特徴とする電波方式認識タグを用いた重量価値付装置。
【請求項２】
上記リーダライタ送受信部を支持する支持部材を非導電性部材で構成したことを特徴とする請求項１記載の電波方式認識タグを用いた重量価値付装置。
【請求項３】
上記非導電性の支持部材が、木製或いは樹脂性のいずれかであることを特徴とする請求項２記載の電波方式認識タグを用いた重量価値付装置。
【請求項４】
上記秤量皿が、上記支柱に対して着脱自在であることを特徴とする請求項１乃至３のいずれか１項に記載の電波方式認識タグを用いた重量価値付装置。
【請求項５】
上記電波方式認識タグの記憶エリア内への価値付け情報の書込みの有無を認識する音声応答表示器を備えたことを特徴とする請求項１乃至４のいずれか１項に記載の電波方式認識タグを用いた重量価値付装置。
【発明の詳細な説明】
【技術分野】
【０００１】
本発明は、電波方式認識タグを用いた重量価値付装置に関するものであり、特に、食器の中の量り売り商品の重量及び価格をリーダライタを用いて、迅速かつ誤りなく、しかも精度良く、電波方式認識タグの記憶エリア内に電磁的に書込むための構成に特徴のある電波方式認識タグを用いた重量価値付装置に関するものである。
【背景技術】
【０００２】
従来、量り売り商品の価値付け等を行う場合、重量センサとバーコードプリンタとの組み合わせで、重量センサ上に量り売り商品を乗せ、その重量測定情報をバーコードコントローラに転送・演算し、該バーコードプリンタよりバーコード紙を出力させ、該量り売り商品に貼る装置があるが、近年の非接触ＩＣタグの普及に伴い、量り売り商品価値付け方法においても、非接触ＩＣタグを用いた装置が販売されてきた。
【０００３】
図６参照  
図６は、非接触ＩＣタグを用いた自動精算システムに用いる重量価値付装置の概略的構成図であり、リーダライタアンテナ５１上に電子秤５２を置き、電子秤５２で測定したトレイ５３の重量測定値の増加分、即ち、量り売り商品５５の重量をトレイ５３の裏底に装着した非接触ＩＣタグ５４の記憶エリア内に書込むように構成している（例えば、特許文献１参照）。
【０００４】
図７参照  
図７は、市販されている非接触ＩＣダクを用いた量り売り装置の概略的構成図であり、重量センサ６１の上にリーダライタアンテナ６２を置き、重量測定値の増加分を非接触ＩＣタグの記憶エリア内に書込むように構成している（例えば、非特許文献１参照）。
【０００５】
なお、この様な非接触ＩＣタグは、データキャリア等を含め、また、大きさとしても、ＩＤチップ或いは名刺サイズのスイカカード等を含めて電波方式認識（ＲＦＩＤ：Ｒａｄｉｏ  Ｆｒｅｑｕｅｎｃｙ−Ｉｄｅｎｔｉｆｉｃａｔｉｏｎ）ダク或いはＲＦＩＤカードと総称されるものである。
【０００６】
この様なＲＦＩＤタグを用いた電波方式認識は、アンテナとコントローラとからなるリーダライタと、情報を電子回路に記憶可能なＩＤタグとにより構成され、ＩＤタグとリーダライタとの間を励磁界によって無線通信してデータ交信するものである。
【特許文献１】特開２００４−０２１４１２号公報
【非特許文献１】カタログ，ＧＬＯＲＹ  ＰＲＯＤＵＣＴ  ＮＥＷＳ，”オートレジシステム用量り売り対応機  ＹＰＳＡ−１１Ｂ−１Ｐ”，２００４−０２（２００４年３月９日入手），グローリー商事株式会社発行
【発明の開示】
【発明が解決しようとする課題】
【０００７】
しかし、上記の特許文献１に開示された構成の場合、非接触ＩＣタグ５４とリーダライタアンテナ５１の送受信時に、間に介在する電子秤５２が励磁界の障害物となり、非接触ＩＣタグ５４への情報書込み及び読込み不良の可能性があるという問題がある。
【０００８】
また、上記の非特許文献１に開示された構成の場合、重量センサ６１上に置かれたリーダライタアンテナ６２とコントローラ部６３との間にアンテナ送受信コイルケーブル６４があり、このアンテナ送受信コイルケーブル６４の自重及びリーダライタアンテナ６２の外部に出ているアンテナ送受信コイルケーブル６４に接触している箇所の全ての接点での振動等で重量測定値が不安定になり、誤った重量測定情報や価値付け情報が、非接触ＩＣタグの記憶エリア内に書込まれてしまうことがあるという問題がある。
【０００９】
また、振動等で重量測定値が不安定になることによって、重量測定時間の遅延も生じる可能性があるという問題もある。
【００１０】
したがって、本発明は、量り売り商品価値付けデータを、迅速かつ誤りなく、しかも精度良く、電波方式認識タグの記憶エリア内に電磁的に書込むことを目的とする。
【課題を解決するための手段】
【００１１】
図１は本発明の原理的構成図であり、ここで図１を参照して、本発明における課題を解決するための手段を説明する。
なお、図における符号１２は、重量測定部１で測定した重量情報を伝送する重量情報ケーブルである。
図１参照
上記課題を解決するために、本発明は、電波方式認識タグ１１を裏底に貼付け或いは埋設した対象物１０の重量を測定する重量測定部１、重量測定部１で測定した重量情報に基づいて価値付け情報を演算する制御演算部７、演算した価値付け情報を電波方式認識タグ１１の記憶エリア内に電磁的に書き込むリーダライタ送受信部４を備えた電波方式認識タグ１１を用いた重量価値付装置において、重力測定部１のセンサ部２から鉛直方向に伸び秤量皿９を搭載する支柱３を立てるとともに、リーダライタ送受信部４に支柱３の貫通用開口部５を設けることによって、重量測定部１の本体部を前記リーダライタ送受信部４に対して非接触で且つ下部に配置することを特徴とする。
【００１２】
この様に、重量測定部１の本体部をリーダライタ送受信部４に対して非接触で且つ下部に配置することによって、重量測定に当たってリーダライタ送受信部４或いはリーダライタ送受信部４に接続されているアンテナケーブル８の接触による影響を受けることがないので、重量測定部１に乗せる対象物１０の重量測定情報を正確に、かつ、迅速に測定することができる。
【００１３】
また、重量測定部１をリーダライタ送受信部４の下部に配置しているので、価値付け情報を電波方式認識タグ１１の記憶エリア内に電磁的に書き込む際に、重量測定部１の影響による誤書込みの発生を防止することができる。
【００１４】
この場合、リーダライタ送受信部４を支持する支持部材は、木製或いは樹脂性等の非導電性部材で構成することが望ましく、それによって、価値付け情報を書き込むための電磁波が支持部材から影響を受けることがなく、誤書込みを防止することができる。
【００１５】
また、秤量皿９を支柱３に対して着脱自在に構成することが望ましく、それによって、支柱３をセンサ部２に組み込み易くすることができる。
【００１６】
また、この電波方式認識タグ１１を用いた重量価値付装置に、電波方式認識タグ１１の記憶エリア内への価値付け情報の書込みの有無を認識する音声応答表示器を設けることが望ましく、それによって、顧客自身による量り売り商品の値付け作業が容易になる。
【００１７】
なお、本願明細書における「電波方式認識タグ」とはチップサイズの非接触ＩＣタグやカードサイズのＲＦＩＤカード等を総称するものであり、電波方式で内部の記憶エリアへデータを書き込む機能を有する媒体を意味し、チップ状、シート状、或いは、カード状と形状は問わないものである。
【００１８】
また、本願明細書における「重量測定部」は、電子天秤や台はかりも含む広い測定手段を意味するものであり、「価値付け情報」という用語は、重量情報のみ、重量情報＋価格情報、重量情報＋品質・内容情報、及び、重量情報＋価格情報＋品質・内容情報を意味する。
【発明の効果】
【００１９】
本発明によれば、重量測定部とリーダライタアンテナを物理的に分離することができ、リーダライタアンテナからのアンテナケーブル等の自重による重量測定部の誤動作もなく、秤量皿に乗った電波方式認識タグが貼付け若しくは埋設された対象物の重量測定情報のみを正確及び迅速に電波方式認識タグの記憶エリアに書込むことができる。
【００２０】
また、価値付け情報に品質・内容情報を含ませることにより、電波方式認識タグが付いた薬剤ビンの内容物及び農水産物の品質・等級等の情報を電波方式認識ＩＣタグの記憶エリアに書込み、それによって、その管理・仕分け等を行うことができる。
【発明を実施するための最良の形態】
【００２１】
本発明は、重量センサのセンサ部に取付け立たせる支柱に接触させないようにリーダライタアンテナを支持体を用いて上部に設置・固定し、支柱の上に秤量皿をリーダライタアンテナに接触させないで載置する構造とするものである。
【実施例１】
【００２２】
ここで、図２乃至図５を参照して、本発明の実施例１の非接触ＩＣタグを用いた重量価値付装置を説明する。
図２及び図３参照  
図２は、本発明の実施例１の非接触ＩＣタグを用いた重量価値付装置の秤量皿を搭載しない状態における概略的構成図であり、また、図３は、秤量皿を搭載した状態における概略的構成図である。
なお、この場合の非接触ＩＣタグは、典型的には、メモリ容量が１００数バイトのＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）を用いている。
【００２３】
図に示すように、重量測定部は、電子天秤２０で構成し、電子天秤２０の本体部２１に設けたセンサ部２２に対して支柱２４を開口部２３を介して取付け立たせ、電子天秤２０からの重量情報を伝送する重量情報ケーブル２５は制御演算部４０に接続される。
なお、電子天秤２０には表示部２６が設けられている。
また、支柱２４の先端には図３に示す秤量皿２８に設けた凹部（図示を省略）に嵌合する凸部２７が設けられている。
【００２４】
一方、リーダライタアンテナ３０は、木製の支持台３１に固定されており、このリーダライタアンテナ３０には、支柱２４を非接触で貫通させるための開口部３２が設けられており、また、リーダライタアンテナ３０へ書込みデータ等を伝送するアンテナケーブル３３は、重量測定部に対して完全に非接触の状態で制御演算部４０に接続される。
【００２５】
図４参照  
図４は、リーダライタアンテナ３０の概念的構成図であり、リーダライタアンテナ３０の内部の外縁側には非接触ＩＣタグの記憶エリアへデータを書き込むための励磁コイル３４が設けられるとともに、中央部側には、開口部３２を避けるように非接触ＩＣタグの記憶エリアに書き込まれたデータを読みだす受信コイル３５が設けられており、これらは樹脂ケースで覆われている。
なお、これらの励磁コイル３４及び受信コイル３５は数十回巻かれている。
【００２６】
この様な構成のリーダライタアンテナ３０において、制御演算部４０を構成するＣＰＵ４１に制御される制御回路４２により書込み情報が変調回路４３へ送られ、変調回路４３で書込み用に変調されたのち、励磁コイル３４に印加され、書込み用の励磁界を発生させ、発生した励磁界は非接触ＩＣタグに内蔵されたコイルによって読み取られる。
一方、非接触ＩＣタグに書き込まれたデータは、受信コイル３５で読みだされたのち、復調回路４４を介して制御回路４２へ送られ、さらにＣＰＵ４１へ送られる。
【００２７】
なお、制御演算部４０には、重量測定部からの重量測定情報と非接触ＩＣタグに書き込まれた単価情報等から価格を演算する演算回路４５が設けられているとともに、必要な情報を格納しておくメモリ領域４６が設けられている。
また、図示は省略するものの、制御演算部４０は、表示パネル・音声応答も備えており、重量測定情報・価値付け情報・動作表示及び音声ガイダンスを出力する。
【００２８】
このような構造にすることにより、リーダライタアンテナ３０、重量情報ケーブル２５、及び、アンテナケーブル３３の重量が分離・対象外とされ、重量測定情報は、秤量皿２８及び支柱２４のみとなり、この重量測定情報は、電子天秤２０にて感度調整を行うことにより、初期値として制御演算部４０に記憶し、秤量皿２８に乗せた対象物重量増加分が、正確に測定でき、その増加分情報を制御演算部４０に記憶することができる。
【００２９】
この場合のリーダライタアンテナ３０の大きさは、重量測定対象物が、電子天秤２０のセンサ部間隔ピッチよりも大きい社員食堂等で使用されるトレイを想定し、非接触ＩＣタグが、トレイ裏底の全ての箇所に貼付け若しくは埋設可能できることも考慮しているが、重量測定対象物の大きさにより、リーダライタアンテナ３０の大きさも変更できる。
【００３０】
図５参照  
図５は、本発明の実施例１の重量価値付装置の動作フローの一例を示すフローチャートであり、まず、
Ａ．非接触ＩＣタグが貼り付けられた容器重量情報、及び、この容器重量情報からの価値付け情報を制御演算部のメモリ領域に記憶させる。
例えば、料理の場合には、価値付対象となる料理を盛る特定の食器の重量情報、及び、この食器に盛る特定料理の単価に関する情報を記憶させる。
【００３１】
次いで、
Ｂ．秤量皿が乗った状態での電子天秤の感度校正、感度調整をし、制御演算部に備えられたリーダライタコントローラの初期化を行い、重量測定待ちにする。
【００３２】
次いで、
Ｃ．測定対象物が収容された非接触ＩＣタグが貼り付けられた容器を、重量価値付装置の秤量皿に乗せ、秤量皿に乗った全重量測定情報を制御演算部に送信する。
即ち、料理の場合には、食器に盛った料理の重量と食器自体の重量を加えた重量測定情報を制御演算部に送信する。
【００３３】
次いで、
Ｄ．送信されてきた全重量測定情報より、Ａで記憶させた非接触ＩＣタグが貼付けられた食器重量情報及び非接触ＩＣタグを差し引いた料理重量を演算し、価値付け情報を制御演算部より、リーダライタコントローラに送信する。
即ち、正味の料理の重量のみを取り出し、単価情報を掛けて得た価格情報をリーダライタコントローラに送信する。
【００３４】
次いで、
Ｅ．リーダライタアンテナで励磁界を発生させ、
Ｆ．非接触ＩＣタグ記憶エリアに価値付け情報が書込めるかの判断をし、書込み可能であれば、
Ｇ．容器底裏に貼り付けた非接触ＩＣタグの記憶エリアに書込み、それ以外の場合は、制御演算部の指示ガイダンスに従う。
なお、Ａ〜Ｇの動作ステップについては、制御演算部における表示メッセージ及び音声ガイダンスにより、利用者に指示できる。
【００３５】
この場合、上述のように、センサ部及び秤量皿とリーダライタコイルは互いに非接触で物理的に分離しているので、アンテナケーブル等の自重による重量測定部の誤動作がなく、非接触ＩＣタグが貼り付けられた容器の収容された測定対象物の重量価値を正確に且つ迅速に測定することができる。
【００３６】
以上、本発明の実施例を説明したが、本発明は実施例に記載された構成・条件に限られるものではなく、各種の変更が可能である。
例えば、上記の実施例においては重量測定部を測定対象を数１００ｇ〜数ｋｇと想定しているためセンサ部を４点設けたタイプとしているが、測定重量が数ｇ〜数１０ｇの場合には、センサ部を１点にしたタイプでも良く、センサ部の点数は任意である。
【００３７】
また、上記の実施例の説明においては、リーダライタの支持台を木製としているが、リーダライタアンテナから発する励磁界に影響を与えない非導電性であれば良く、アクリル樹脂等の樹脂で構成しても良いものである。
【００３８】
また、上記の実施例の説明においては、秤量皿と支柱とを着脱自在に構成しているが、ネジ、接着剤等で固定した構成としても良いものである。
【００３９】
また、上記の実施例の説明においては、量り売り商品の価格付け工程として説明しているが、単価情報の代わりに等級或いは種類等の品質情報を非接触ＩＣタグに予め記憶させておくことによって、在庫管理・商品仕分等に応用することが可能である。
【産業上の利用可能性】
【００４０】
本発明の活用例としては、料理等の量り売り商品の重量価値付けが典型的なものであるが、薬剤ビンに内容物に関する情報をメモリした非接触ＩＣタグを貼り付けたり、或いは、農水産物の重量・産地等の情報をメモリした非接触ＩＣタグを収容箱の底に貼り付けたりすることによって、管理・仕分けにも適用することができる。
【図面の簡単な説明】
【００４１】
【図１】本発明の原理的構成の説明図である。
【図２】本発明の実施例１の非接触ＩＣタグを用いた重量価値付装置の秤量皿を搭載しない状態における概略的構成図である。
【図３】本発明の実施例１の非接触ＩＣタグを用いた重量価値付装置の秤量皿を搭載した状態における概略的構成図である。
【図４】本発明の実施例１におけるリーダライタアンテナの概念的構成図である。説明図である。
【図５】本発明の実施例１の重量価値付装置の動作フローの一例を示すフローチャートである。
【図６】非接触ＩＣタグを用いた自動精算システムに用いる重量価値付装置の概略的構成図である。
【図７】市販されている非接触ＩＣダクを用いた量り売り装置の概略的構成図である。
【符号の説明】
【００４２】
１  重量測定部
２  センサ部
３  支柱
４  リーダライタ送受信部
５  開口部
６  支持体
７  制御演算部
８  アンテナケーブル
９  秤量皿
１０  対象物
１１  電波方式認識タグ
１２  重量情報ケーブル
２０  電子天秤                                                                  ２１  本体部                                                                    ２２  センサ部
２３  開口部
２４  支柱
２５  重量情報ケーブル
２６  表示部
２７  凸部
２８  秤量皿
３０  リーダライタアンテナ
３１  支持台
３２  開口部
３３  アンテナケーブル
３４  励磁コイル
３５  受信コイル
４０  制御演算部
４１  ＣＰＵ
４２  制御回路
４３  変調回路
４４  復調回路
４５  演算回路
４６  メモリ領域
５１  リーダライタアンテナ
５２  電子秤
５３  トレイ
５４  非接触ＩＣタグ
５５  量り売り商品
５６  制御装置
５７  トレイ載置台
６１  重量センサ
６２  リーダライタアンテナ
６３  コントローラ部
６４  アンテナ送受信コイルケーブル
６５  重量情報ケーブル
【図１】
2005308603.tif 000003
【図２】
2005308603.tif 000004
【図３】
2005308603.tif 000005
【図４】
2005308603.tif 000006
【図５】
2005308603.tif 000007
【図６】
2005308603.tif 000008
【図７】
2005308603.tif 000009